(57)【要約】【課題】弾性支持部材の固定部に対する位置決めの容易化及び位置決め精度の向上並びにこれによる動作の信頼性の向上を図る。【解決手段】対物レンズ駆動装置８の固定部１０に固定側本体部１２と該固定側本体部に一体に形成され弾性支持部材３１、３１、・・・が延びる方向へ弾性変形可能な弾性部１４、１４、・・・とを設け、弾性支持部材が挿入され該弾性支持部材を固定部に位置決めして取り付ける位置決め孔１５、１５、・・・を弾性部に形成したものである。【選択図】        図６
2004234774.tif 000002
【特許請求の範囲】
【請求項１】
対物レンズを保持した可動部と該可動部を弾性支持部材を介して支持する固定部とを備え、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にある対物レンズ駆動装置であって、
上記固定部は固定側本体部と該固定側本体部に一体に形成され弾性支持部材が延びる方向へ弾性変形可能な弾性部とを備え、
上記弾性支持部材が挿入され該弾性支持部材を固定部に位置決めして取り付ける位置決め孔を上記弾性部に形成したことを特徴とする対物レンズ駆動装置。
【請求項２】
上記可動部に弾性支持部材が挿入され該弾性支持部材を可動部に位置決めして取り付ける位置決め孔を形成したことを特徴とする請求項１に記載の対物レンズ駆動装置。
【請求項３】
上記位置決め孔の直径を０．２ｍｍ以下としたことを特徴とする請求項１に記載の対物レンズ駆動装置。
【請求項４】
上記位置決め孔の直径を０．２ｍｍ以下としたことを特徴とする請求項２に記載の対物レンズ駆動装置。
【請求項５】
上記弾性部の変形方向における厚みを０．３ｍｍ以下としたことを特徴とする請求項１に記載の対物レンズ駆動装置。
【請求項６】
上記固定部の固定側本体部と弾性部を液晶ポリマーによって形成したことを特徴とする請求項１に記載の対物レンズ駆動装置。
【請求項７】
上記弾性支持部材を上記トラッキング方向に離隔して各２つずつ配置すると共にトラッキング方向に離隔した各２つずつの弾性支持部材をそれぞれフォーカシング方向に離隔して配置し、
上記固定部の位置決め孔及び可動部の位置決め孔をそれぞれ弾性支持部材と同数形成し、
固定部の位置決め孔のフォーカシング方向における間隔と可動部の位置決め孔のフォーカシング方向における間隔とが異なるようにしたことを特徴とする請求項２に記載の対物レンズ駆動装置。
【請求項８】
上記固定部の位置決め孔に、弾性支持部材の挿入側の一端に近付くに従って直径が大きくなるテーパー部を形成したことを特徴とする請求項１に記載の対物レンズ駆動装置。
【請求項９】
上記可動部の位置決め孔に、弾性支持部材の挿入側の一端に近付くに従って直径が大きくなるテーパー部を形成したことを特徴とする請求項２に記載の対物レンズ駆動装置。
【請求項１０】
ディスクテーブルに装着されるディスク状記録媒体の半径方向へ移動自在に支持された移動ベースと該移動ベースに支持された対物レンズ駆動装置とを備え、該対物レンズ駆動装置が対物レンズを保持した可動部と該可動部を弾性支持部材を介して支持する固定部とを有し、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にある光ピックアップであって、
上記固定部は固定側本体部と該固定側本体部に一体に形成され弾性支持部材が延びる方向へ弾性変形可能な弾性部とを備え、
上記弾性支持部材が挿入され該弾性支持部材を固定部に位置決めして取り付ける位置決め孔を上記弾性部に形成したことを特徴とする光ピックアップ。
【請求項１１】
上記可動部に弾性支持部材が挿入され該弾性支持部材を可動部に位置決めして取り付ける位置決め孔を形成したことを特徴とする請求項１０に記載の光ピックアップ。
【請求項１２】
上記位置決め孔の直径を０．２ｍｍ以下としたことを特徴とする請求項１０に記載の光ピックアップ。
【請求項１３】
上記位置決め孔の直径を０．２ｍｍ以下としたことを特徴とする請求項１１に記載の光ピックアップ。
【請求項１４】
上記弾性部の変形方向における厚みを０．３ｍｍ以下としたことを特徴とする請求項１０に記載の光ピックアップ。
【請求項１５】
上記固定部の固定側本体部と弾性部を液晶ポリマーによって形成したことを特徴とする請求項１０に記載の光ピックアップ。
【請求項１６】
上記弾性支持部材を上記トラッキング方向に離隔して各２つずつ配置すると共にトラッキング方向に離隔した各２つずつの弾性支持部材をそれぞれフォーカシング方向に離隔して配置し、
上記固定部の位置決め孔及び可動部の位置決め孔をそれぞれ弾性支持部材と同数形成し、
固定部の位置決め孔のフォーカシング方向における間隔と可動部の位置決め孔のフォーカシング方向における間隔とが異なるようにしたことを特徴とする請求項１１に記載の光ピックアップ。
【請求項１７】
上記固定部の位置決め孔に、弾性支持部材の挿入側の一端に近付くに従って直径が大きくなるテーパー部を形成したことを特徴とする請求項１０に記載の光ピックアップ。
【請求項１８】
上記可動部の位置決め孔に、弾性支持部材の挿入側の一端に近付くに従って直径が大きくなるテーパー部を形成したことを特徴とする請求項１１に記載の光ピックアップ。
【請求項１９】
ディスク状記録媒体が装着されて回転されるディスクテーブルと該ディスクテーブルに装着されるディスク状記録媒体の半径方向へ移動する光ピックアップとを備え、該光ピックアップはディスクテーブルに装着されるディスク状記録媒体の半径方向へ移動自在に支持された移動ベースと該移動ベースに支持された対物レンズ駆動装置とを有し、該対物レンズ駆動装置は対物レンズを保持した可動部と該可動部を弾性支持部材を介して支持する固定部とを有し、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にあるディスクドライブ装置であって、
上記固定部は固定側本体部と該固定側本体部に一体に形成され弾性支持部材が延びる方向へ弾性変形可能な弾性部とを備え、
上記弾性支持部材が挿入され該弾性支持部材を固定部に位置決めして取り付ける位置決め孔を上記弾性部に形成したことを特徴とするディスクドライブ装置。
【請求項２０】
上記可動部に弾性支持部材が挿入され該弾性支持部材を可動部に位置決めして取り付ける位置決め孔を形成したことを特徴とする請求項１９に記載のディスクドライブ装置。
【請求項２１】
上記位置決め孔の直径を０．２ｍｍ以下としたことを特徴とする請求項１９に記載のディスクドライブ装置。
【請求項２２】
上記位置決め孔の直径を０．２ｍｍ以下としたことを特徴とする請求項２０に記載のディスクドライブ装置。
【請求項２３】
上記弾性部の変形方向における厚みを０．３ｍｍ以下としたことを特徴とする請求項１９に記載のディスクドライブ装置。
【請求項２４】
上記固定部の固定側本体部と弾性部を液晶ポリマーによって形成したことを特徴とする請求項１９に記載のディスクドライブ装置。
【請求項２５】
上記弾性支持部材を上記トラッキング方向に離隔して各２つずつ配置すると共にトラッキング方向に離隔した各２つずつの弾性支持部材をそれぞれフォーカシング方向に離隔して配置し、
上記固定部の位置決め孔及び可動部の位置決め孔をそれぞれ弾性支持部材と同数形成し、
固定部の位置決め孔のフォーカシング方向における間隔と可動部の位置決め孔のフォーカシング方向における間隔とが異なるようにしたことを特徴とする請求項２０に記載のディスクドライブ装置。
【請求項２６】
上記固定部の位置決め孔に、弾性支持部材の挿入側の一端に近付くに従って直径が大きくなるテーパー部を形成したことを特徴とする請求項１９に記載のディスクドライブ装置。
【請求項２７】
上記可動部の位置決め孔に、弾性支持部材の挿入側の一端に近付くに従って直径が大きくなるテーパー部を形成したことを特徴とする請求項２０に記載のディスクドライブ装置。
【発明の詳細な説明】
【０００１】
【発明の属する技術分野】
本発明は対物レンズ駆動装置、光ピックアップ及びディスクドライブ装置に関する。詳しくは、弾性支持部材の固定部に対する位置決めの容易化及び位置決め精度の向上並びにこれによる対物レンズ駆動装置の動作の信頼性の向上を図る技術分野に関する。
【０００２】
【従来の技術】
光ディスク等のディスク状記録媒体に記録された情報信号の記録や再生を行うディスクドライブ装置があり、このようなディスクドライブ装置は、ディスク状記録媒体の半径方向へ移動自在に支持された移動ベースと該移動ベース上に支持された対物レンズ駆動装置とを有する光ピックアップを備えている。対物レンズ駆動装置は移動ベースに固定された固定部と該固定部に複数の弾性支持部材を介して支持された可動部とを備え、該可動部に対物レンズが保持されている。
【０００３】
ディスクドライブ装置にあっては、情報信号の記録動作時や再生動作時に、光ピックアップがディスク状記録媒体の半径方向へ移動されると共に、対物レンズ駆動装置の可動部が固定部に対してディスク状記録媒体に離接する方向であるフォーカシング方向及びディスク状記録媒体の略半径方向であるトラッキング方向へ動作され、可動部に設けられた対物レンズを介して照射されるレーザー光のスポットがディスク状記録媒体に形成された記録トラックに集光及び追従されるようにフォーカシング調整又はトラッキング調整が行われる。
【０００４】
上記したように、対物レンズ駆動装置は可動部が複数の弾性支持部材を介して固定部に支持されており、従来のディスクドライブ装置に設けられた対物レンズ駆動装置には、各弾性支持部材の両端部がそれぞれ固定部に取り付けられた基板と可動部に取り付けられた基板に固定されているものがある（例えば、特許文献１参照）。これらの基板はガラスエポキシ樹脂や合成樹脂によって形成され、弾性支持部材は各両端部が基板に形成された嵌合穴に挿通されて半田又は接着剤によって固定されている。
【０００５】
【特許文献１】
特開平８―２６３８６０号公報（第４頁−第５頁、第２図）
【０００６】
【発明が解決しようとする課題】
ところで、従来のディスクドライブ装置にあっては、上記したように、固定部及び可動部にそれぞれ取り付けられた基板に弾性支持部材の両端部が固定されているが、基板に形成された嵌合穴は打抜加工によって形成されるため、加工上、小さな径を有するものを形成することが困難であり、弾性支持部材の外形（直径）に比較して大きな径を有するものとなってしまう。
【０００７】
従って、従来の対物レンズ駆動装置にあっては、嵌合穴に弾性支持部材を挿入することによっては固定部及び可動部に対する弾性支持部材の位置決めを行うことはできず、固定部及び可動部に対する弾性支持部材の位置決めを、専用の位置決め用の装置を用いて固定部、可動部及び弾性支持部材をそれぞれ保持した状態で行う必要があった。このように従来の対物レンズ駆動装置では、固定部及び可動部に対する弾性支持部材の位置決めに際して、専用の位置決め用の装置を必要とする分、製造コストが増大し、また、弾性支持部材の固定部及び可動部に対する組付作業における作業性の低下を来たしているという問題がある。
【０００８】
一方、対物レンズの中心と可動部の駆動中心とが異なる位置にある対物レンズ駆動装置においては、駆動時における共振の発生を防止するためには、可動部が固定部に対して弾性支持部材が延びる方向、即ち、フォーカシング方向及びトラッキング方向に直交する方向にも所定の範囲内で変位可能な構成にすることが望ましい。
【０００９】
しかしながら、従来の対物レンズ駆動装置のように、固定部に取り付けられた基板に弾性支持部材の一端部を固定した場合には、基板の剛性が高い等の理由により、弾性支持部材が延びる方向への可動部の十分な変位量を確保することができないおそれがある。特に、弾性支持部材の固定部に対する十分な位置決め精度が確保されない場合には、共振が発生し易いが、上記のように固定部又は可動部に取り付けられた基板に弾性支持部材の両端部が固定される場合には、基板の固定部又は可動部に対する取付精度によっては弾性支持部材の固定部又は可動部に対する位置決め精度が低下し、共振が発生し易くなってしまう。
【００１０】
そこで、本発明対物レンズ駆動装置、光ピックアップ及びディスクドライブ装置は、上記した問題点を克服し、弾性支持部材の固定部に対する位置決めの容易化及び位置決め精度の向上並びにこれによる動作の信頼性の向上を図ることを課題とする。
【００１１】
【課題を解決するための手段】
本発明対物レンズ駆動装置、光ピックアップ及びディスクドライブ装置は、上記した課題を解決するために、対物レンズ駆動装置の固定部に固定側本体部と該固定側本体部に一体に形成され弾性支持部材が延びる方向へ弾性変形可能な弾性部とを設け、弾性支持部材が挿入され該弾性支持部材を固定部に位置決めして取り付ける位置決め孔を弾性部に形成したものである。
【００１２】
従って、本発明対物レンズ駆動装置、光ピックアップ及びディスクドライブ装置にあっては、位置決め孔への挿入によって弾性支持部材が固定部に対して位置決めされる。
【００１３】
【発明の実施の形態】
以下に、本発明対物レンズ駆動装置、光ピックアップ及びディスクドライブ装置の実施の形態を添付図面に従って説明する。
【００１４】
ディスクドライブ装置１は、外筐２内に所要の各部材及び各機構が配置されて成り（図１参照）、外筐２には図示しないディスク挿入口が形成されている。
【００１５】
外筐２内には図示しないシャーシが配置され、該シャーシに取り付けられたスピンドルモーターのモーター軸にディスクテーブル３が固定されている。
【００１６】
シャーシには、平行なガイド軸４、５が取り付けられると共に図示しない送りモーターによって回転される図示しないリードスクリューが支持されている。
【００１７】
光ピックアップ６は、移動ベース７と該移動ベース７に設けられた発光素子や受光素子等の所要の光学部品と移動ベース７上に支持された対物レンズ駆動装置８とを有し、移動ベース７の両端部に設けられた軸受部７ａ、７ｂがそれぞれガイド軸４、５に摺動自在に支持されている（図１参照）。移動ベース７に設けられた図示しないナット部材がリードスクリューに螺合され、送りモーターによってリードスクリューが回転されると、ナット部材がリードスクリューの回転方向へ応じた方向へ送られ、光ピックアップ６がディスクテーブル３に装着されるディスク状記録媒体１００の半径方向へ移動される。
【００１８】
対物レンズ駆動装置８は、図２乃至図４に示すように、移動ベース７上に取り付けられた取付ベース９と該取付ベース９上に固定された固定部１０と該固定部１０に対して動作される可動部１１とを備えている。
【００１９】
尚以下の説明においては、固定部１０が配置された側を後方とし、可動部１１が配置された側を前方として説明する。
【００２０】
固定部１０は横長のブロック状に形成された固定側本体部１２と該固定側本体部１２から後方へ突出された連結部１３と該連結部１３を介して固定側本体部１２に連結された弾性部１４、１４、・・・とが、例えば、液晶ポリマーによって一体に形成されて成る。
【００２１】
固定側本体部１２には、その左端寄りの位置と右端寄りの位置とに、それぞれ上下に位置する充填溝部１２ａ、１２ａ、・・・が形成されている。充填溝部１２ａ、１２ａ、・・・は、上方又は下方と前後とに開口されている。
【００２２】
連結部１３は固定側本体部１２の後面の左右方向における中央部から後方へ突出されている。
【００２３】
弾性部１４、１４、・・・は連結部１３の後端部に連続され、図５に示すように、それぞれ連結部１３から左方又は右方へ突出されている。弾性部１４、１４、・・・は連結部１３の左右に２つずつが設けられ、それぞれ上下に離隔して位置されている。
【００２４】
弾性部１４、１４、・・・は薄肉に形成され、厚みが、例えば、０．３ｍｍ以下に形成されている。弾性部１４は、連結部１３に連続され左右方向に長い基端部１４ａと、該基端部１４ａの連結部１３と反対側の端部から前方へ突出された内面部１４ｂと、該内面部１４ｂの前縁から左方又は右方へ突出された中間部１４ｃと、該中間部１４ｃの内面部１４ｂと反対側の端部から後方へ突出された外面部１４ｄとから成り、内面部１４ｂと外面部１４ｄとが対向して位置されている。
【００２５】
弾性部１４の中間部１４ｃには前後に貫通された位置決め孔１５が形成され、該位置決め孔１５は、図６に示すように、前方に開口され後方へ行くに従って径が小さくなるテーパー部１５ａと該テーパー部１５ａに連続され後方に開口された位置決め部１５ｂとから成る。位置決め部１５ｂはテーパー部１５ａとは異なり径が一定とされており、例えば、０．０８ｍｍ以上０．２ｍｍ以下とされている。
【００２６】
固定部１０は固定側本体部１２が取付ネジ１６によって取付ベース９に取り付けられ、図２及び図３に示すように、弾性部１４、１４、・・・が固定側本体部１２に対して中間部１４ｃ、１４ｃ、・・・が略前後へ移動する方向へ弾性変形可能とされている。
【００２７】
固定部１０の固定側本体部１２に形成された充填溝部１２ａ、１２ａ、・・・には、それぞれゲル状の制振材料１７、１７、・・・が充填されている。制振材料１７、１７、・・・は、例えば、シリコン系の材料であり、対物レンズ駆動装置８の駆動時の振動を減衰し共振の発生を抑制する機能を有する。
【００２８】
固定部１０の弾性部１４、１４、・・・の後面には、図５に示すように、フレキシブルプリント配線板１８が取り付けられ、該フレキシブルプリント配線板１８は弾性部１４、１４、・・・にそれぞれ取り付けられた被取付部１８ａ、１８ａ、・・・を有している。被取付部１８ａ、１８ａ、・・・の先端部には、弾性部１４、１４、・・・に形成された位置決め孔１５、１５、・・・の真後ろの位置に、それぞれバネ取付孔１８ｂ、１８ｂ、・・・が形成されている。
【００２９】
可動部１１は可動側本体部１９に所要の各部が取り付けられて成り、図２乃至図４に示すように、可動側本体部１９はコイル取付部２０とレンズ保持部２１とが一体に形成されて成る。
【００３０】
コイル取付部２０は上下に貫通された略角筒状に形成され、コイル取付部２０にはフォーカシングコイル２２及びトラッキングコイル２３、２３が取り付けられている。フォーカシングコイル２２は上下に貫通された略角筒状に形成され、コイル取付部２０の内面に取り付けられている。トラッキングコイル２３、２３はフォーカシングコイル２２の前面に左右方向において隣接した状態で取り付けられ、前後に貫通された略角筒状に形成されている。
【００３１】
コイル取付部２０にフォーカシングコイル２２及びトラッキングコイル２３、２３が取り付けられた状態においては、トラッキングコイル２３、２３を挟んで前後に配置空間２４、２５が形成される（図３参照）。
【００３２】
レンズ保持部２１はコイル取付部２０の前面から前方へ突出され、上下に貫通された光透過孔２１ａを有している（図３参照）。レンズ保持部２１の上面には、図２及び図３に示すように、光透過孔２１ａを覆った状態で対物レンズ２６が取り付けられている。対物レンズ２６の中心は可動部１１の駆動中心とは異なる位置にある。
【００３３】
可動側本体部１９の左右両側面には、図２乃至図４に示すように、それぞれ側方へ突出された２つずつのバネ保持突部２７、２７、・・・が設けられ、それぞれ上下に離隔して位置されている。バネ保持突部２７、２７、・・・は対物レンズ２６より稍後方に設けられている。バネ保持突部２７には前後に貫通された位置決め孔２８が形成され、図６に示すように、該位置決め孔２８は前方に開口され後方へ行くに従って径が小さくなるテーパー部２８ａと該テーパー部２８ａに連続され後方に開口された位置決め部２８ｂとから成る。位置決め部２８ｂはテーパー部２８ａとは異なり径が一定とされており、例えば、０．０８ｍｍ以上０．２ｍｍ以下とされている。
【００３４】
可動部１１のバネ保持突部２７、２７に形成された位置決め孔２８、２８は、その上下方向（フォーカシング方向）における中心間の間隔が、固定部１０の弾性部１４、１４に形成された位置決め孔１５、１５の上下方向における中心間の間隔より小さくされている。即ち、図６に示すように、位置決め孔２８、２８の上下方向における中心間の間隔をＨ１とし、位置決め孔１５、１５の上下方向における中心間の間隔をＨ２とすると、Ｈ１＜Ｈ２とされている。
【００３５】
可動側本体部１９の左右両側面には、バネ保持突部２７、２７、・・・の直ぐ後側の位置にそれぞれ接続用基板２９、２９が取り付けられている。
【００３６】
可動側本体部１９の左右両側面には、接続用基板２９、２９の直ぐ後側の位置にそれぞれ側方へ突出された突部３０、３０が設けられている。
【００３７】
可動部１１は４本の金属製のワイヤー状を為す弾性支持部材３１、３１、・・・を介して中空に位置するように支持されている。弾性支持部材３１、３１、・・・は、例えば、直径が約０．０８ｍｍに形成されている。弾性支持部材３１、３１、・・・は、それぞれ可動部１１の位置決め孔２８、２８、・・・、制振材料１７、１７、・・・、固定部１０の位置決め孔１５、１５、・・・及びフレキシブルプリント配線板１８のバネ取付孔１８ｂ、１８ｂ、・・・に順に挿入され、前端寄りの部分が接続用基板２９、２９に半田２９ａ、２９ａ、・・・によって固定され、後端部がフレキシブルプリント配線板１８の被取付部１８ａ、１８ａ、・・・に半田１８ｃ、１８ｃ、・・・によって固定される。このとき上下に位置する弾性支持部材３１、３１、・・・は、可動側本体部１９の左右両側面にそれぞれ設けられた突部３０、３０の上下に配置される。また、弾性部１４、１４、・・・の中間部１４ｃ、１４ｃ、・・・とフレキシブルプリント配線板１８の被取付部１８ａ、１８ａ、・・・との間の空間に位置された弾性支持部材３１、３１、・・・の部分は、接着剤によって弾性部１４、１４、・・・に固定される。
【００３８】
上記のように位置決め孔１５、１５、・・・及び位置決め孔２８、２８、・・・には、それぞれ前方に開口され後方へ行くに従って径が小さくなるテーパー部１５ａ、１５ａ、・・・、２８ａ、２８ａ、・・・が形成されているため、弾性支持部材３１、３１、・・・の位置決め孔１５、１５、・・・及び位置決め孔２８、２８、・・・への挿入が容易であり、対物レンズ駆動装置８の組立作業における作業性の向上を図ることができる。
【００３９】
弾性支持部材３１、３１、・・・によって固定部１０と可動部１１が連結された状態においては、上記のように、位置決め孔２８、２８の上下方向における中心間の間隔Ｈ１が位置決め孔１５、１５の上下方向における中心間の間隔Ｈ２より小さくされているため、上下に位置する弾性支持部材３１、３１の前端間の間隔が後端間の間隔より狭くなるようにされる。
【００４０】
一般に、可動部が固定部に対して弾性支持部材が延びる方向、即ち、フォーカシング方向及びトラッキング方向に直交する方向へ所定の範囲内で変位可能な構成とされた対物レンズ駆動装置においては、上下に位置する弾性支持部材が平行とされている場合には、可動部の駆動中心と弾性支持部材の可動部に保持された位置との弾性支持部材の延びる方向における位置のズレ及び弾性支持部材の固定部に保持された位置の弾性支持部材の延びる方向への変位に起因して、可動部がフォーカシング方向へ移動されたときに、対物レンズがディスク状記録媒体１００の記録面に対してタンジェンシャル方向に傾斜し易い。
【００４１】
しかしながら、対物レンズ駆動装置８のように、上下に位置する弾性支持部材３１、３１の前端間の間隔を後端間の間隔より狭くなるようにすることにより、上記した位置のズレ及び変位に起因する対物レンズ２６の傾きをキャンセルすることが可能であり、対物レンズ駆動装置８の動作の信頼性を確保することができる。
【００４２】
尚、対物レンズ駆動装置８のように、フォーカシングコイル２２、トラッキングコイル２３、２３及びマグネット３３、３３等によって構成された駆動磁気回路が対物レンズ２６と固定部１０との間に設けられるタイプの他、対物レンズが駆動磁気回路と固定部との間に設けられるタイプの対物レンズ駆動装置においても、弾性支持部材の前端間の間隔と後端間の間隔を相違させることにより、上記した位置のズレ及び変位に起因する対物レンズの傾きをキャンセルして、対物レンズ駆動装置の動作の信頼性を確保することができる。
【００４３】
移動ベース７にはヨーク部材３２が取り付けられ、該ヨーク部材３２は取付ベース９の前方に配置されている（図２乃至図４参照）。ヨーク部材３２は移動ベース７に取り付けられたベース部３２ａと該ベース部３２ａの前後両端縁からそれぞれ上方へ突出されたヨーク部３２ｂ、３２ｂとから成る。
【００４４】
ヨーク部材３２のヨーク部３２ｂ、３２ｂの互いに対向する面には、それぞれマグネット３３、３３が取り付けられている。
【００４５】
ヨーク部３２ｂ、３２ｂとマグネット３３、３３とは、それぞれ可動部１１のトラッキングコイル２３、２３の前後に形成された配置空間２４、２５に挿入されて配置される。
【００４６】
以上のように構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されてディスク状記録媒体１００に対する記録動作又は再生動作が行われる。
【００４７】
この記録動作及び再生動作において、フォーカシングコイル２２に駆動電流が供給されると、供給された電流の向きに応じて対物レンズ駆動装置８の可動部１１が固定部１０に対してフォーカシング方向Ｆ（図２参照）へ動作され、移動ベース７に設けられた図示しない発光素子から出射され対物レンズ２６を介して照射されるレーザー光のスポットがディスク状記録媒体１００の記録トラック上に集光するようにフォーカシング調整が為される。また、トラッキングコイル２３、２３に駆動電流が供給されると、供給された電流の向きに応じて対物レンズ駆動装置８の可動部１１が固定部１０に対してトラッキング方向Ｔ（図２参照）へ動作され、発光素子から出射され対物レンズ２６を介して照射されるレーザー光のスポットがディスク状記録媒体１００の記録トラックに追従するようにトラッキング調整が為される。
【００４８】
対物レンズ駆動装置８にあっては、上記したように、固定側本体部１２に対して弾性変形可能な弾性部１４、１４、・・・が設けられているため、フォーカシング動作及びトラッキング動作が行われているときには、図７に示すように、固定側本体部１２に対して弾性部１４、１４、・・・が弾性変形され、可動部１１が弾性支持部材３１、３１、・・・の延びる方向、即ち、フォーカシング方向及びトラッキング方向に直交する方向へ変位可能である。このとき制振材料１７、１７、・・・は可動部１１の変位に伴って変形される。
【００４９】
以上に記載した通り、ディスクドライブ装置１にあっては、固定側本体部１２と弾性部１４、１４、・・・とを一体に形成し位置決め孔１５、１５、・・・をそれぞれ弾性部１４、１４、・・・に形成している。
【００５０】
従って、固定部１０に取り付けられたフレキシブルプリント配線板１８を介して弾性支持部材３１、３１、・・・の固定部１０に対する位置決めを行う必要がなく、また、位置決め孔１５、１５、・・・を弾性支持部材３１、３１、・・・の直径に対応させて小さく形成することができ、固定部１０に対する弾性支持部材３１、３１、・・・の位置決め精度の向上を図ることができる。
【００５１】
また、弾性支持部材３１、３１、・・・の固定部１０に対する位置決めを、弾性支持部材３１、３１、・・・を位置決め孔１５、１５、・・・に挿入することにより行うことができるため、弾性支持部材３１、３１、・・・の固定部１０に対する位置決めを専用の位置決め用の装置を用いて行う必要がなく、弾性支持部材３１、３１、・・・の固定部１０への組付作業における作業性の向上を図ることができる。
【００５２】
さらに、固定部１０に弾性支持部材３１、３１、・・・が延びる方向へ弾性変形可能な弾性部１４、１４、・・・を設けると共に弾性支持部材３１、３１、・・・の固定部１０に対する位置決め精度が高くなるため、弾性支持部材３１、３１、・・・が延びる方向への可動部１１の十分な変位量を確保することが可能であり、対物レンズ駆動装置８の駆動時における共振の発生を防止することができ対物レンズ駆動装置８の動作の信頼性を確保することができる。
【００５３】
尚、上記したように、弾性部１４、１４、・・・の厚みを０．３ｍｍ以下とすることにより、共振の発生を抑制するための可動部１１の十分な変位量を確保することが可能である。
【００５４】
また、可動部１１に弾性支持部材３１、３１、・・・を位置決めする位置決め孔２８、２８、・・・を形成しているため、可動部１１に対する弾性支持部材３１、３１、・・・の位置決め精度の向上及び弾性支持部材３１、３１、・・・の可動部１１への組付作業における作業性の向上を図ることができる。
【００５５】
尚、上記のように、弾性支持部材３１、３１、・・・の直径が約０．０８ｍｍであるときに、位置決め孔１５、１５、・・・、２８、２８、・・・の径を０．２ｍｍ以下とすることにより、弾性支持部材３１、３１、・・・の固定部１０及び可動部１１に対する良好な位置決め精度を確保することができる。
【００５６】
また、対物レンズ駆動装置８にあっては、固定側本体部１２と弾性部１４、１４、・・・とを液晶ポリマーによって一体に形成しているため、固定部１０の成形性が向上すると共に弾性部１４、１４、・・・の固定側本体部１２に対する十分な変形量を確保することができる。
【００５７】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００５８】
【発明の効果】
以上に記載したところから明らかなように、本発明対物レンズ駆動装置は、対物レンズを保持した可動部と該可動部を弾性支持部材を介して支持する固定部とを備え、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にある対物レンズ駆動装置であって、上記固定部は固定側本体部と該固定側本体部に一体に形成され弾性支持部材が延びる方向へ弾性変形可能な弾性部とを備え、上記弾性支持部材が挿入され該弾性支持部材を固定部に位置決めして取り付ける位置決め孔を上記弾性部に形成したことを特徴とする。
【００５９】
従って、固定部に取り付けられる基板を介して弾性支持部材の固定部に対する位置決めを行う必要がなく、また、位置決め孔を弾性支持部材の径に対応させて小さく形成することができ、固定部に対する弾性支持部材の位置決め精度の向上を図ることができる。
【００６０】
また、弾性支持部材の固定部に対する位置決めを、弾性支持部材を位置決め孔に挿入することにより行うことができるため、弾性支持部材の固定部に対する位置決めを専用の位置決め用の装置を用いて行う必要がなく、弾性支持部材の固定部への組付作業における作業性の向上を図ることができる。
【００６１】
さらに、固定部に弾性支持部材が延びる方向へ弾性変形可能な弾性部を設けると共に弾性支持部材の固定部に対する位置決め精度が高くなるため、弾性支持部材が延びる方向への可動部の十分な変位量を確保することが可能であり、対物レンズ駆動装置の駆動時における共振の発生を防止することができ対物レンズ駆動装置の動作の信頼性を確保することができる。
【００６２】
請求項２に記載した発明にあっては、上記可動部に弾性支持部材が挿入され該弾性支持部材を可動部に位置決めして取り付ける位置決め孔を形成したので、可動部に対する弾性支持部材の位置決め精度の向上及び弾性支持部材の可動部への組付作業における作業性の向上を図ることができる。
【００６３】
請求項３及び請求項４に記載した発明にあっては、上記位置決め孔の直径を０．２ｍｍ以下としたので、弾性支持部材の固定部又は可動部に対する良好な位置決め精度を確保することができる。
【００６４】
請求項５に記載した発明にあっては、上記弾性部の変形方向における厚みを０．３ｍｍ以下としたので、共振の発生を抑制するための可動部の十分な変位量を確保することが可能である。
【００６５】
請求項６に記載した発明にあっては、上記固定部の固定側本体部と弾性部を液晶ポリマーによって形成したので、固定部の成形性が向上すると共に弾性部の固定側本体部に対する十分な変形量を確保することができる。
【００６６】
請求項７に記載した発明にあっては、上記弾性支持部材を上記トラッキング方向に離隔して各２つずつ配置すると共にトラッキング方向に離隔した各２つずつの弾性支持部材をそれぞれフォーカシング方向に離隔して配置し、上記固定部の位置決め孔及び可動部の位置決め孔をそれぞれ弾性支持部材と同数形成し、固定部の位置決め孔のフォーカシング方向における間隔と可動部の位置決め孔のフォーカシング方向における間隔とが異なるようにしたので、可動部がフォーカシング方向へ移動されたときに、対物レンズがディスク状記録媒体の記録面に対して傾斜し難く、対物レンズ駆動装置の動作の信頼性を確保することができる。
【００６７】
請求項８及び請求項９に記載した発明にあっては、上記固定部の位置決め孔に、弾性支持部材の挿入側の一端に近付くに従って直径が大きくなるテーパー部を形成したので、弾性支持部材の位置決め孔への挿入が容易であり、対物レンズ駆動装置の組立作業における作業性の向上を図ることができる。
【００６８】
本発明光ピックアップは、ディスクテーブルに装着されるディスク状記録媒体の半径方向へ移動自在に支持された移動ベースと該移動ベースに支持された対物レンズ駆動装置とを備え、該対物レンズ駆動装置が対物レンズを保持した可動部と該可動部を弾性支持部材を介して支持する固定部とを有し、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にある光ピックアップであって、上記固定部は固定側本体部と該固定側本体部に一体に形成され弾性支持部材が延びる方向へ弾性変形可能な弾性部とを備え、上記弾性支持部材が挿入され該弾性支持部材を固定部に位置決めして取り付ける位置決め孔を上記弾性部に形成したことを特徴とする。
【００６９】
従って、固定部に取り付けられる基板を介して弾性支持部材の固定部に対する位置決めを行う必要がなく、また、位置決め孔を弾性支持部材の径に対応させて小さく形成することができ、固定部に対する弾性支持部材の位置決め精度の向上を図ることができる。
【００７０】
また、弾性支持部材の固定部に対する位置決めを、弾性支持部材を位置決め孔に挿入することにより行うことができるため、弾性支持部材の固定部に対する位置決めを専用の位置決め用の装置を用いて行う必要がなく、弾性支持部材の固定部への組付作業における作業性の向上を図ることができる。
【００７１】
さらに、固定部に弾性支持部材が延びる方向へ弾性変形可能な弾性部を設けると共に弾性支持部材の固定部に対する位置決め精度が高くなるため、弾性支持部材が延びる方向への可動部の十分な変位量を確保することが可能であり、対物レンズ駆動装置の駆動時における共振の発生を防止することができ対物レンズ駆動装置の動作の信頼性を確保することができる。
【００７２】
請求項１１に記載した発明にあっては、上記可動部に弾性支持部材が挿入され該弾性支持部材を可動部に位置決めして取り付ける位置決め孔を形成したので、可動部に対する弾性支持部材の位置決め精度の向上及び弾性支持部材の可動部への組付作業における作業性の向上を図ることができる。
【００７３】
請求項１２及び請求項１３に記載した発明にあっては、上記位置決め孔の直径を０．２ｍｍ以下としたので、弾性支持部材の固定部又は可動部に対する良好な位置決め精度を確保することができる。
【００７４】
請求項１４に記載した発明にあっては、上記弾性部の変形方向における厚みを０．３ｍｍ以下としたので、共振の発生を抑制するための可動部の十分な変位量を確保することが可能である。
【００７５】
請求項１５に記載した発明にあっては、上記固定部の固定側本体部と弾性部を液晶ポリマーによって形成したので、固定部の成形性が向上すると共に弾性部の固定側本体部に対する十分な変形量を確保することができる。
【００７６】
請求項１６に記載した発明にあっては、上記弾性支持部材を上記トラッキング方向に離隔して各２つずつ配置すると共にトラッキング方向に離隔した各２つずつの弾性支持部材をそれぞれフォーカシング方向に離隔して配置し、上記固定部の位置決め孔及び可動部の位置決め孔をそれぞれ弾性支持部材と同数形成し、固定部の位置決め孔のフォーカシング方向における間隔と可動部の位置決め孔のフォーカシング方向における間隔とが異なるようにしたので、可動部がフォーカシング方向へ移動されたときに、対物レンズがディスク状記録媒体の記録面に対して傾斜し難く、対物レンズ駆動装置の動作の信頼性を確保することができる。
【００７７】
請求項１７及び請求項１８に記載した発明にあっては、上記固定部の位置決め孔に、弾性支持部材の挿入側の一端に近付くに従って直径が大きくなるテーパー部を形成したので、弾性支持部材の位置決め孔への挿入が容易であり、対物レンズ駆動装置の組立作業における作業性の向上を図ることができる。
【００７８】
本発明ディスクドライブ装置は、ディスク状記録媒体が装着されて回転されるディスクテーブルと該ディスクテーブルに装着されるディスク状記録媒体の半径方向へ移動する光ピックアップとを備え、該光ピックアップはディスクテーブルに装着されるディスク状記録媒体の半径方向へ移動自在に支持された移動ベースと該移動ベースに支持された対物レンズ駆動装置とを有し、該対物レンズ駆動装置は対物レンズを保持した可動部と該可動部を弾性支持部材を介して支持する固定部とを有し、対物レンズを介して照射されるレーザー光がディスク状記録媒体の記録面に集光する方向であるフォーカシング方向及びディスク状記録媒体の記録トラックに追従する方向であるトラッキング方向へ可動部が移動可能とされると共に、対物レンズの中心と可動部の駆動中心とが異なる位置にあるディスクドライブ装置であって、上記固定部は固定側本体部と該固定側本体部に一体に形成され弾性支持部材が延びる方向へ弾性変形可能な弾性部とを備え、上記弾性支持部材が挿入され該弾性支持部材を固定部に位置決めして取り付ける位置決め孔を上記弾性部に形成したことを特徴とする。
【００７９】
従って、固定部に取り付けられる基板を介して弾性支持部材の固定部に対する位置決めを行う必要がなく、また、位置決め孔を弾性支持部材の径に対応させて小さく形成することができ、固定部に対する弾性支持部材の位置決め精度の向上を図ることができる。
【００８０】
また、弾性支持部材の固定部に対する位置決めを、弾性支持部材を位置決め孔に挿入することにより行うことができるため、弾性支持部材の固定部に対する位置決めを専用の位置決め用の装置を用いて行う必要がなく、弾性支持部材の固定部への組付作業における作業性の向上を図ることができる。
【００８１】
さらに、固定部に弾性支持部材が延びる方向へ弾性変形可能な弾性部を設けると共に弾性支持部材の固定部に対する位置決め精度が高くなるため、弾性支持部材が延びる方向への可動部の十分な変位量を確保することが可能であり、対物レンズ駆動装置の駆動時における共振の発生を防止することができ対物レンズ駆動装置の動作の信頼性を確保することができる。
【００８２】
請求項２０に記載した発明にあっては、上記可動部に弾性支持部材が挿入され該弾性支持部材を可動部に位置決めして取り付ける位置決め孔を形成したので、可動部に対する弾性支持部材の位置決め精度の向上及び弾性支持部材の可動部への組付作業における作業性の向上を図ることができる。
【００８３】
請求項２１及び請求項２２に記載した発明にあっては、上記位置決め孔の直径を０．２ｍｍ以下としたので、弾性支持部材の固定部又は可動部に対する良好な位置決め精度を確保することができる。
【００８４】
請求項２３に記載した発明にあっては、上記弾性部の変形方向における厚みを０．３ｍｍ以下としたので、共振の発生を抑制するための可動部の十分な変位量を確保することが可能である。
【００８５】
請求項２４に記載した発明にあっては、上記固定部の固定側本体部と弾性部を液晶ポリマーによって形成したので、固定部の成形性が向上すると共に弾性部の固定側本体部に対する十分な変形量を確保することができる。
【００８６】
請求項２５に記載した発明にあっては、上記弾性支持部材を上記トラッキング方向に離隔して各２つずつ配置すると共にトラッキング方向に離隔した各２つずつの弾性支持部材をそれぞれフォーカシング方向に離隔して配置し、上記固定部の位置決め孔及び可動部の位置決め孔をそれぞれ弾性支持部材と同数形成し、固定部の位置決め孔のフォーカシング方向における間隔と可動部の位置決め孔のフォーカシング方向における間隔とが異なるようにしたので、可動部がフォーカシング方向へ移動されたときに、対物レンズがディスク状記録媒体の記録面に対して傾斜し難く、対物レンズ駆動装置の動作の信頼性を確保することができる。
【００８７】
請求項２６及び請求項２７に記載した発明にあっては、上記固定部の位置決め孔に、弾性支持部材の挿入側の一端に近付くに従って直径が大きくなるテーパー部を形成したので、弾性支持部材の位置決め孔への挿入が容易であり、対物レンズ駆動装置の組立作業における作業性の向上を図ることができる。
【図面の簡単な説明】
【図１】図２乃至図７と共に本発明の実施の形態を示すものであり、本図はディスクドライブ装置の概略平面図である。
【図２】対物レンズ駆動装置の拡大斜視図である。
【図３】対物レンズ駆動装置の拡大平面図である。
【図４】対物レンズ駆動装置の拡大側面図である。
【図５】固定部の一部を示す拡大斜視図である。
【図６】弾性支持部材を分離して示す図３のＶＩ−ＶＩ線に沿う概略断面図である。
【図７】弾性部が弾性変形されている状態を示す拡大平面図である。
【符号の説明】
１…ディスクドライブ装置、３…ディスクテーブル、６…光ピックアップ、７…移動ベース、８…対物レンズ駆動装置、１０…固定部、１１…可動部、１２…固定側本体部、１４…弾性部、１５…位置決め孔、１５ａ…テーパー部、２６…対物レンズ、２８…位置決め孔、２８ａ…テーパー部、３１…弾性支持部材、１００…ディスク状記録媒体
【図１】
2004234774.tif 000003
【図２】
2004234774.tif 000004
【図３】
2004234774.tif 000005
【図４】
2004234774.tif 000006
【図５】
2004234774.tif 000007
【図６】
2004234774.tif 000008
【図７】
2004234774.tif 000009